(57)【要約】【課題】第1ブロックと第2ブロックとを誤って第1および第2パイプに固定した場合でも、第1パイプと第2パイプとの接続ができ、第1ブロックと第2ブロックの加工および管理の面で面倒をなくすことができるパイプ接続構造を提供する。【解決手段】パイプ接続構造は、2本の第1パイプ1の先端部に跨って接続された第1ブロック10と、2本の第2パイプ2の先端部に跨って接続された第2ブロック20とが互いに固定されて、第1パイプ1と第2パイプ2とがそれぞれ接続されるものである。第2ブロック20は、第1ブロック10と同形同大に形成される。第1ブロック10の凸部11と第2ブロック20の凹部21とが嵌合し、第1ブロック10の凹部13と第2ブロック20の凸部23とが嵌合して、第1ブロック10と第2ブロック20とが固定されている。【選択図】図１
2019094958.tif 000002
【特許請求の範囲】
【請求項１】
2本の第1パイプの先端部に跨って接続された第1ブロックと、2本の第2パイプの先端部に跨って接続された第2ブロックとが互いに固定されて、第1パイプと第2パイプとがそれぞれ接続されるパイプ接続構造であって、
第1ブロックは、両ブロックの固定時に第2ブロックと接触する接触面と、第1パイプが接続される第1接続面と、接触面から突出した凸部と、凸部が嵌まる大きさで接触面から凹んだ凹部と、凸部の先端面から一方の第1パイプが接続された第1接続面まで貫通するとともに、一方の第1パイプと連通する第1連通路と、凹部の底から他方の第1パイプが接続された第1接続面まで貫通するとともに、他方の第1パイプと連通する第2連通路とを有しており、
第2ブロックは、第1ブロックと同形同大に形成され、両ブロックの固定時に第1ブロックと接触する接触面と、第2パイプが接続される第2接続面と、第1ブロックの凸部が嵌まる凹部と、第1ブロックの凹部に嵌まる凸部と、凸部の先端面から一方の第2パイプが接続された第2接続面まで貫通するとともに、一方の第2パイプと連通する第3連通路と、凹部の底から他方の第2パイプが接続された第2接続面まで貫通するとともに、他方の第2パイプと連通する第4連通路とを有しており、
第1ブロックの凸部と第2ブロックの凹部とが嵌合し、第1ブロックの凹部と第2ブロックの凸部とが嵌合して、第1ブロックと第2ブロックとが固定されている、パイプ接続構造。
【請求項２】
前記第1接続面が、第1ブロックの接触面と反対側を向きでかつ、接触面に平行な面とされており、2本の前記第1パイプが、互いに間隔おいて平行に配置されて、第1接続面にそれぞれ接続されており、
前記第2接続面が、第2ブロックの接触面と反対側を向きでかつ、接触面に平行な面とされており、2本の前記第2パイプが、互いに間隔おいて平行に配置されて、第2接続面にそれぞれ接続されている、請求項1記載のパイプ接続構造。
【発明の詳細な説明】
【技術分野】
【０００１】
この発明は、パイプ接続構造に関し、さらに詳しくは、例えば車両に搭載される空調装置を構成する車両用ヒータシステムにおいて、パイプどうしを接続するパイプ接続構造に関する。
【背景技術】
【０００２】
従来のパイプ接続構造として、2本の第1パイプの先端部に跨って接続された第1ブロックと、2本の第2パイプの先端部に跨って接続された第2ブロックとが互いに固定されて、第1パイプと第2パイプとがそれぞれ接続されるパイプ接続構造であって、
第1ブロックは、互いの固定時に第2ブロックに接触する接触面と、接触面と反対側を向くとともに、接触面に平行な面からなり、かつ第1パイプが接続される第1接続面と、接触面から垂直に突出した２つの凸部と、凸部の先端面から第1接続面まで貫通するとともに、第1パイプと連通する連通路とを有し、
第2ブロックは、互いの固定時に第1ブロックに接触する接触面と、接触面と反対側を向くとともに、接触面に平行な面からなり、かつ第2パイプが接続される第2接続面と、接触面から第2接続面に向かって凹んだ2つの凹部と、凹部の底から第2接続面まで貫通するとともに、第2パイプと連通する連通路を有しており、
第1ブロックの凸部と第2ブロックの凹部とがそれぞれ嵌合して第1パイプと第2パイプとが接続されるものが知られている（下記特許文献１参照）。
【０００３】
しかしながら、特許文献１記載のパイプ接続構造は、例えば、第2パイプには第2ブロックを固定するはずが、誤って第2パイプにも第1ブロックを固定して組み立てるおそれがある。このようにして誤って組み立てた場合、第1ブロックどうしを固定することができないので、第1パイプと第2パイプとを接続することができない。
【０００４】
また、第1ブロックと第2ブロックの形状が異なっているため、第1および第2ブロックを製造する場合、加工および管理の面で面倒となることがある。
【先行技術文献】
【特許文献】
【０００５】
【特許文献１】特開２００５−３５１６１１号公報
【発明の概要】
【発明が解決しようとする課題】
【０００６】
この発明の目的は、上記問題を解決し、第1ブロックと第2ブロックとを誤って第1および第2パイプに固定した場合でも、第1パイプと第2パイプとの接続ができ、第1ブロックと第2ブロックの加工および管理の面で面倒をなくすことができるパイプ接続構造を提供することにある。
【課題を解決するための手段】
【０００７】
本発明は、上記目的を達成するために以下の態様からなる。
【０００８】
１）2本の第1パイプの先端部に跨って接続された第1ブロックと、2本の第2パイプの先端部に跨って接続された第2ブロックとが互いに固定されて、第1パイプと第2パイプとがそれぞれ接続されるパイプ接続構造であって、第1ブロックは、両ブロックの固定時に第2ブロックと接触する接触面と、第1パイプが接続される第1接続面と、接触面から突出した凸部と、凸部が嵌まる大きさで接触面から凹んだ凹部と、凸部の先端面から一方の第1パイプが接続された第1接続面まで貫通するとともに、一方の第1パイプと連通する第1連通路と、凹部の底から他方の第1パイプが接続された第1接続面まで貫通するとともに、他方の第1パイプと連通する第2連通路とを有しており、第2ブロックは、第1ブロックと同形同大に形成され、両ブロックの固定時に第1ブロックと接触する接触面と、第2パイプが接続される第2接続面と、第1ブロックの凸部が嵌まる凹部と、第1ブロックの凹部に嵌まる凸部と、凸部の先端面から一方の第2パイプが接続された第2接続面まで貫通するとともに、一方の第2パイプと連通する第3連通路と、凹部の底から他方の第2パイプが接続された第2接続面まで貫通するとともに、他方の第2パイプと連通する第4連通路とを有しており、第1ブロックの凸部と第2ブロックの凹部とが嵌合し、第1ブロックの凹部と第2ブロックの凸部とが嵌合して、第1ブロックと第2ブロックとが固定されている、パイプ接続構造。
【０００９】
２）前記第1接続面が、第1ブロックの接触面と反対側を向きでかつ、接触面に平行な面とされており、2本の前記第1パイプが、互いに間隔おいて平行に配置されて、第1接続面にそれぞれ接続されており、前記第2接続面が、第2ブロックの接触面と反対側を向きでかつ、接触面に平行な面とされており、2本の前記第2パイプが、互いに間隔おいて平行に配置されて、第2接続面にそれぞれ接続されている、上記１）記載のパイプ接続構造。
【発明の効果】
【００１０】
上記１）および２）のパイプ接続構造によると、第1ブロックと第2ブロックとが同形同大に形成され、第1ブロックの凸部と第2ブロックの凹部とが嵌合し、第1ブロックの凹部と第2ブロックの凸部とが嵌合して、第1ブロックと第2ブロックとが固定されているので、第1ブロックと第2ブロックとを誤って第1および第2パイプに固定した場合でも、両ブロックを固定することができ、第1および第2パイプを接続することができる。
【００１１】
また、第1ブロックと第2ブロックとが同形同大に形成されているので、１種類のブロックを製造すればよく、複数種類のブロックを加工および管理する面倒がなくなる。
【図面の簡単な説明】
【００１２】
【図１】この発明のパイプ接続構造を示す、パイプ接続前の斜視図である。
【図２】この発明のパイプ接続構造を示す、パイプ接続後の縦断面図である。
【発明を実施するための形態】
【００１３】
この発明の実施の形態を図面を参照して説明する。この実施形態は、この発明による配管接続構造を、自動車用空調装置を構成する冷凍サイクルの配管どうしを接続する構造に適用したものである。
【００１４】
なお、以下の説明において、「アルミニウム」という用語には、純アルミニウムの他にアルミニウム合金を含むものとする。また、以下の説明において、図２の上下、左右を上下、左右というものとする。
【００１５】
図1および図２において、この発明のパイプ接続構造は、互いに間隔をおいて平行に配置された2本のアルミニウム製第1パイプ(1)と、２本の第1パイプ(1)の先端部に跨って固定されたアルミニウム製第1ブロック(10)と、互いに間隔をおいて平行に配置された2本のアルミニウム製第2パイプ(2)と、２本の第2パイプ(2)の先端部に跨って固定されたアルミニウム製第2ブロック(20)とよりなる。
【００１６】
第1ブロック(10)は、両ブロック(10)(20)が固定される際、第2ブロック(20)と面接触する平坦接触面(10a)と、平坦接触面(10a)と反対側を向くとともに、平坦接触面(10a)と平行な面であり、かつ第1パイプ(1)が接続される第1接続面(10b)とを有している。
【００１７】
第1ブロック(10)の外形は、図２の側方から見て縦長円形となっている。
【００１８】
この実施形態では、図2に示すように、第1ブロック(10)には、平坦接触面(10a)の上側から左方向に突出した凸部(11)が形成されており、凸部(11)の先端面から第1接続面(10b)までを通じさせる第1連通路(12)が形成されている。
【００１９】
また、第1ブロック(10)には、平坦接触面(10a)の下側から第1接続面(10b)に向かって凹み、左方向に開口した凹部(13)が形成されており、凹部(13)の底から第1接続面(10b)までを通じさせる第2連通路(14)が形成されている。凹部(13)は、凸部(11)が嵌まる大きさに形成されている。
【００２０】
第1および第2連通路(12)(14)の右側開口には、大径部(12a)(14a)がそれぞれ形成されており、大径部(12a)(14a)に第1パイプ(1)の左側端部がそれぞれ嵌め込まれている。
【００２１】
第2ブロック(20)は、第1ブロック(10)と同形同大の縦長円形とされている。
【００２２】
第2ブロック(20)は、両ブロック(10)(20)が固定される際、第1ブロック(10)と面接触する平坦接触面(20a)と、平坦接触面(20a)と反対側を向くとともに、平坦接触面(20a)と平行な面であり、かつ第2パイプ(2)が接続される第2接続面(20b)とを有している。
【００２３】
第2ブロック(20)には、平坦接触面(20a)の上側から第2接続面(20b)に向かって凹み、右方向に開口した凹部(21)が形成されており、凹部(21)の底と第2接続面(20b)とを通じさせる第3連通路(22)が形成されている。
【００２４】
また、第2ブロック(20)には、平坦接触面(20a)の下側から右方向に突出した凸部(23)が形成されており、凸部(23)の先端面と第2接続面(20b)とを通じさせる第4連通路(24)が形成されている。
【００２５】
第3および第4連通路(22)(24)の左側開口には、大径部(22a)(24a)が形成されており、大径部(22a)(24a)に第2パイプ(2)の端部がそれぞれ嵌め込まれている。
第１および第2ブロック(10)(20)の凸部(11)(23)の外周面には、周溝(11a)(23a)が形成されており、周溝(11a)(23a)にＯリング(3)が嵌め込まれている。
【００２６】
第1ブロック(10)の凹部(13)は、凸部(11)が嵌まる大きさで形成されているので、第1ブロック(10)の凸部(11)と第2ブロック(20)の凹部(21)とが、互いに嵌まり合う大きさとなっており、第2ブロック(20)の凸部(23)と第1ブロック(10)の凹部(13)とが、互いに嵌まり合う大きさとなっている。
【００２７】
第１および第2ブロック(10)(20)の大径部(12a)(14a)(22a)(24a)と第１および第2パイプ(1)(2)とは、各パイプ(1)(2)が大径部(12a)(14a)(22a)(24a)に嵌め込まれた状態で、例えば、溶接により固定されている。この状態における、第1ブロック(10)に形成された第1および第2連通路(12)(14)と第1パイプ(1)とはそれぞれ連通しており、第2ブロック(20)に形成された第3および第4連通路(22)(24)と第2パイプ(2)とはそれぞれ連通している。
【００２８】
第1ブロック(10)の凸部(11)と凹部(13)との間には、平坦接触面(10a)から第1接続面(10b)まで貫通した貫通孔(10c)が形成されている。さらに、第2ブロック(20)の凸部(23)と凹部(21)との間にも同様に、貫通孔(20c)が形成されている。両貫通孔(10c)(20c)には、両ブロック(10)(20)を連結するためのボルト(4)が挿通させられている。
【００２９】
第1ブロック(10)と第2ブロック(20)とは、互いに上下が逆になって配置されている。第1ブロック(10)の凸部(11)が、第2ブロック(20)の凹部(21)に嵌め入れられ、さらに第2ブロック(20)の凸部(23)が、第1ブロック(10)の凹部(13)に嵌め入れられて、両ブロック(10)(20)の平坦接触面(10a)(20a)が密着した状態で、第2ブロック(20)の貫通孔(20c)に左方から右方に通されたボルト(4)が、第1ブロック(10)の貫通孔(10c)を通り、ナット(5)に螺合されることによって、両ブロック(10)(20)が固定される。
【００３０】
これにより、第1ブロック(10)の第1連通路(12)と第2ブロック(20)の第3連通路(22)とが相互に連通し、第1ブロック(10)の第2連通路(14)と第2ブロック(20)の第4連通路(24)とが相互に連通する。その結果、第1および第2パイプ(1)(2)が両ブロック(10)(20)の固定により接続される。
【００３１】
上記のように、この発明のパイプ接続構造では、第1ブロック(10)と第2ブロック(20)とが同形同大となっているので、第1ブロック(10)と第2ブロック(20)とを誤って第1および第2パイプ(1)(2)に固定した場合でも、両ブロック(10)(20)を固定することができ、第1および第2パイプ(1)(2)を接続することができる。また、従来のように、第1ブロックと第2ブロックの2種類のブロックを製造する必要がなく、１種類のブロックを製造すればよくなるので、複数種類のブロックを加工および管理する面倒がなくなる。
【産業上の利用可能性】
【００３２】
この発明のパイプ接続構造は、車両用ヒータシステムに用いられる冷却水を循環させる回路内の配管継手に好適に用いられる。
【符号の説明】
【００３３】
(1)  第1パイプ
(2)  第2パイプ
(10)  第1ブロック
(10a)  平坦接触面
(10b)  第1接続面
(11)  凸部
(12)  第1連通路
(13)  凹部
(14)  第2連通路
(20)  第2ブロック
(20a)  平坦接触面
(20b)  第2接続面
(21)  凹部
(22)  第3連通路
(23)  凸部
(24)  第4連通路
【図１】
2019094958.tif 000003
【図２】
2019094958.tif 000004